(57)【要約】【課題】表示手段と携帯端末との距離を調整することによって、携帯端末側で所望のデータを容易に選択し、取得する。【解決手段】携帯端末距離情報検出部１０６は、ディスプレイ表示部１０１と携帯端末との距離を検出し、データ選択部１０４は、ディスプレイ表示部１０１に表示されるデータのうち、携帯端末距離情報検出部１０６により検出された距離に該当する一部のデータを選択する。通信部１０７は、データ選択部１０４により選択された一部のデータを携帯端末に送信する。【選択図】図１
2010277551.tif 000002
【特許請求の範囲】
【請求項１】
少なくとも一つのデータを表示可能な表示手段と携帯端末との距離を検出する距離検出手段と、
前記表示手段に表示されるデータのうち、前記距離検出手段により検出された距離に該当する一部のデータを選択する第１の選択手段と、
前記第１の選択手段により選択された一部のデータを前記携帯端末に送信する送信手段とを有することを特徴とするデータ選択装置。
【請求項２】
前記表示手段に対する前記携帯端末の位置を検出する位置検出手段と、
前記表示手段に表示されるデータのうち、前記位置検出手段により検出された位置に対するデータを選択する第２の選択手段とを更に有し、
前記第１の選択手段は、前記第２の選択手段により選択されたデータのうち、前記距離検出手段により検出された距離に該当する一部のデータを選択することを特徴とする請求項１に記載のデータ選択装置。
【請求項３】
所定の携帯端末の移動範囲に対して、前記第２の選択手段により選択されたデータを正規化して割り当てる正規化手段を更に有し、
前記第１の選択手段は、前記正規化手段により正規化されたデータのうち、前記距離検出手段により検出された距離に該当する一部のデータを選択することを特徴とする請求項２に記載のデータ選択装置。
【請求項４】
前記第２の選択手段により選択されたデータのデータサイズに応じて、当該データを分割する分割手段を更に有し、
前記正規化手段は、前記分割手段によりデータが分割された場合、分割されたデータのそれぞれを正規化することを特徴とする請求項３に記載のデータ選択装置。
【請求項５】
少なくとも一つのデータを表示可能な表示手段と携帯端末との距離を検出する距離検出ステップと、
前記表示手段に表示されるデータのうち、前記距離検出ステップにより検出された距離に該当する一部のデータを選択する選択ステップと、
前記選択ステップにより選択された一部のデータを前記携帯端末に送信する送信ステップとを含むことを特徴とするデータ選択装置の制御方法。
【請求項６】
少なくとも一つのデータを表示可能な表示手段と携帯端末との距離を検出する距離検出ステップと、
前記表示手段に表示されるデータのうち、前記距離検出ステップにより検出された距離に該当する一部のデータを選択する選択ステップと、
前記選択ステップにより選択された一部のデータを前記携帯端末に送信する送信ステップとをコンピュータに実行させるためのプログラム。
【発明の詳細な説明】
【技術分野】
【０００１】
本発明は、表示手段に表示されるデータから所望のデータを選択するための技術に関するものである。
【背景技術】
【０００２】
従来、共有ディスプレイに携帯端末を接触、あるいは接近させることにより、携帯端末の位置情報を基に携帯端末のコンテンツデータを共有ディスプレイに貼り付ける技術が知られている（例えば、特許文献１参照）。
【０００３】
また、共有ディスプレイと携帯端末との距離を検出し、共有ディスプレイでの表示領域の一部データを携帯端末に送信し、表示させる技術も知られている（例えば、特許文献２参照）。
【０００４】
従来の技術では、共有ディスプレイに携帯端末を接触、あるいは接近させることにより、共有ディスプレイでの携帯端末の相対位置を決定し、共有ディスプレイのある一部分の矩形領域を切り取り、そのデータを選択及び送信して携帯端末で表示させていた。
【先行技術文献】
【特許文献】
【０００５】
【特許文献１】特開２００７−３１６９２５号公報
【特許文献２】特開２００５−５６３０３号公報
【発明の概要】
【発明が解決しようとする課題】
【０００６】
しかしながら、ある一部分の矩形領域に画像が重畳されている場合や、動画データが存在している場合には実際に表示されている画像しか入手できないといった問題があった。
【０００７】
そこで、本発明の目的は、表示手段と携帯端末との距離を調整することによって、携帯端末側で所望のデータを容易に選択し、取得することを可能とすることにある。
【課題を解決するための手段】
【０００８】
本発明のデータ選択装置は、少なくとも一つのデータを表示可能な表示手段と携帯端末との距離を検出する距離検出手段と、前記表示手段に表示されるデータのうち、前記距離検出手段により検出された距離に該当する一部のデータを選択する第１の選択手段と、前記第１の選択手段により選択された一部のデータを前記携帯端末に送信する送信手段とを有することを特徴とする。
【発明の効果】
【０００９】
本発明においては、表示手段に表示されるデータのうち、表示手段と携帯端末との距離に該当するデータを選択し、携帯端末に送信するように構成している。従って、本発明によれば、表示手段と携帯端末との距離を調整することによって、携帯端末側で所望のデータを容易に選択し、取得することが可能となる。
【図面の簡単な説明】
【００１０】
【図１】本発明の実施形態に係るデータ選択装置の構成を示すブロック図である。
【図２】本発明の実施形態に係るデータ選択装置の処理の流れを示すフローチャートである。
【図３−１】コンテンツグループの選択例を説明するための図である。
【図３−２】コンテンツグループの選択例を説明するための図である。
【図４】携帯端末の移動に伴うサムネイルの表示切り替えを具体的に説明するための図である。
【図５】データ選択部による分割判定を具体的に説明するための図である。
【図６】送信命令コマンドのデータ構造を示す図である。
【発明を実施するための形態】
【００１１】
以下、本発明を適用した好適な実施形態を、添付図面を参照しながら詳細に説明する。
【００１２】
図１は、本発明の実施形態に係るデータ選択装置の構成を示すブロック図である。
データ選択装置１００は、ディスプレイ表示部（共有ディスプレイ）１０１、記憶部１０２、コンテンツ選択部１０３、データ選択部１０４、携帯端末位置情報検出部１０５、携帯端末距離情報検出部１０６及び通信部１０７を備える。なお、ディスプレイ表示部１０１は、本発明における表示手段の適用例となる構成である。
【００１３】
コンテンツ選択部１０３は、記憶部１０２、ディスプレイ表示部１０１、携帯端末位置情報検出部１０５、データ選択部１０４に接続される。また、データ選択部１０４は、携帯端末距離情報検出部１０６、通信部１０７に接続される。
【００１４】
記憶部１０２は、ディスプレイ表示部１０１に表示するための外部から入力された静止画データ及び動画データを記憶する。
【００１５】
携帯端末位置情報検出部１０５は、携帯端末距離情報検出部１０６に接続され、データ選択装置１００の近傍に存在する携帯端末を検出し、当該携帯端末のＩＤ情報を取得する。携帯端末位置情報検出部１０５は、ディスプレイ表示部１０１の上下にセンサを設置し、ディスプレイ表示部１０１の表示画面と携帯端末との距離が一定の距離以内になった場合、携帯端末の位置情報を検出するように構成する。携帯端末位置情報検出部１０５は、このセンサによりディスプレイ表示部１０１に携帯端末が接触、あるいは接近したかを検出して、携帯端末の位置情報をコンテンツ選択部１０３へ出力する。
【００１６】
コンテンツ選択部１０３は、携帯端末位置情報検出部１０５から出力された携帯端末位置情報と記憶部１０２に記憶されている静止画データ及び動画データとから、携帯端末の位置に該当するコンテンツを特定する。特定されたコンテンツは、データ選択部１０４に出力される。携帯端末距離情報検出部１０６は、ディスプレイ表示部１０１と携帯端末との間の距離を検出し、検出した距離を示す携帯端末距離情報をデータ選択部１０４に出力する。
【００１７】
データ選択部１０４は、特定されたコンテンツと携帯端末距離情報とから、携帯端末の距離に応じたコンテンツを選択し、通信部１０７に出力する。
【００１８】
通信部１０７は、データ選択装置１００の外部に存在する携帯端末とコンテンツ等のデータの送受信を行う。
【００１９】
次に、図２を参照しながら、本実施形態に係るデータ選択装置１００の処理について説明する。
【００２０】
携帯端末位置情報検出部１０５は、データ選択装置１００の近傍に存在する携帯端末を検出し、当該携帯端末のＩＤ情報を取得する。同時に、携帯端末位置情報検出部１０５は、ディスプレイ表示部１０１に携帯端末の一部が接触、あるいは接近したかを検出する（ステップＳ２０１）。このようにして携帯端末位置情報検出部１０５により携帯端末の位置情報が検出されると、コンテンツ選択部１０３に携帯端末の位置情報が通知される。なお、ステップＳ２０１は、本発明の位置検出手段の処理例である。
【００２１】
コンテンツ選択部１０３は、携帯端末の位置情報と記憶部１０２に保持されるディスプレイ表示部１０１で表示されるコンテンツとから、どのコンテンツを選択するかを決定する（ステップＳ２０２）。ここで選択されるコンテンツが複数である場合、次に説明するコンテンツグループが選択されることになる。以下では、コンテンツグループが選択される場合について説明する。なお、ステップＳ２０２は、本発明の第２の選択手段の処理例である。
【００２２】
ここで、図３−１、図３−２を用いてコンテンツグループの選択例について説明する。図３−１（ａ）に示す例では、ディスプレイ表示部３００（図１のディスプレイ表示部１０１に相当）で表示されているコンテンツは、“１年生の写真”３０１、“２年生の写真”３０２、“３年生の写真”３０３、“４年生の写真”３０４、“５年生の写真”３０５、“６年生の写真”３０６、“入学式動画”３０７、“運動会動画”３０８、“社会見学動画”３０９である。ここで、“１年生の写真”３０１、“２年生の写真”３０２、“３年生の写真”３０３、“４年生の写真”３０４、“５年生の写真”３０５、“６年生の写真”３０６はそれぞれ、複数の画像データ等を含んだコンテンツグループとして扱う。
【００２３】
この状態において、外部に存在する携帯端末３２０をディスプレイ表示部３００に接触、あるいは接近させた図３−１（ｂ）の場合では、携帯端末３２０を接近させた“４年生の写真”３０４がコンテンツグループとして選択される。
【００２４】
一方、図３−２（ａ）の例では、ディスプレイ表示部３００上にランダムにコンテンツ３１１〜３１８が配置、表示されている。この場合、コンテンツ３１６の背後には、表示されていないコンテンツ３１５や、一部分の画像しか表示されていないコンテンツ３１１、３１３、３１４が存在する。
【００２５】
この状態で、外部に存在する携帯端末３２０をディスプレイ表示部３００に携帯端末３２０を接触、あるいは接近させる。すると、図３−２（ｂ）に示すように、携帯端末３２０に対して少なくとも一部が接触するコンテンツ３１４、３１５、３１６がコンテンツグループとして選択される。他の形態として、携帯端末３２０とともに、外郭が一つの閉領域を構成するコンテンツ３１１、３１３、３１４、３１５、３１６をコンテンツグループとしてもよい。更にコンテンツグループは上記方法に限定されるものではなく、コンテンツの作成日時や、コンテンツに含まれる風景や人物といったカテゴリ、コンテンツの作成者といった属性等でグループ化してもよい。
【００２６】
図２の説明に戻ると、携帯端末距離情報検出部１０６は、ディスプレイ表示部１０１と携帯端末との距離を検出し、携帯端末距離情報を出力する（ステップＳ２０３）。なお、ステップＳ２０３は、本発明の距離検出手段の処理例である。
【００２７】
続いて、データ選択部１０４は、コンテンツグループを分割するか否かを判定する（ステップＳ２０４）。このデータ選択部１０４による分割判定を、図５を用いて具体的に説明する。
【００２８】
図５において、５０１、５０３、５０４、５０５は、コンテンツグループのデータサイズと再生時間の長さとを概念的に示したものである。５０２、５０５、５０７は、携帯端末のディスプレイ表示部１０１に対する鉛直方向の移動範囲を概念的に示したものである。
【００２９】
図５（ａ）では、コンテンツ選択部１０３で選択されたコンテンツグループの再生時間５０１が所定の携帯端末移動範囲５０２に割り当てられる場合を例示している。このような場合、データ選択部１０４はコンテンツグループを分割しないと判定し、コンテンツグループを正規化して携帯端末移動範囲５０２に対して割り当てる。図５（ｂ）では、所定の携帯端末移動範囲に対して、コンテンツ選択部１０３で選択されたコンテンツグループのデータサイズが大きく、再生時間も長いといった場合、データ選択部１０４は当該コンテンツグループを複数に分割すると判定する場合を例示している。例えば、予め定められたデータサイズを閾値として、当該閾値より大きなデータサイズのコンテンツグループであれば分割すると判定し、当該閾値以下のデータサイズのコンテンツグループであれば分割しないと判定する。
【００３０】
ステップＳ２０４においてコンテンツグループを分割すると判定された場合、データ選択部１０４は、当該コンテンツグループを分割する（ステップＳ２１０）。一方、コンテンツグループを分割しないと判定された場合、ステップＳ２１０をスキップする。なお、ステップＳ２１０は、本発明の分割手段の処理例である。
【００３１】
続いて、データ選択部１０４は、所定の携帯端末移動範囲内で表示できるようにコンテンツグループを正規化する（ステップＳ２０５）。このようにすることで、携帯端末をディスプレイ表示部１０１に近づけたり、遠ざけたりすることで、コンテンツグループのデータが所定の携帯端末移動範囲内で表示されるようにする。例えば、携帯端末の移動範囲が携帯端末移動範囲５０５である場合、コンテンツグループ５０３をコンテンツ（１）５０４、コンテンツ（２）５０６に分割し、携帯端末移動範囲５０５の範囲内で表示できるようにする。この場合、コンテンツ（１）５０４とコンテンツ（２）５０６との切り替えは、コマンドによって実行される。なお、ステップＳ２０５は、本発明の正規化手段の処理例である。
【００３２】
続いて、データ選択部１０４は、携帯端末移動範囲に割り当てられたコンテンツグループのうちの上記携帯端末距離情報に該当するコンテンツを選択する。本処理は、本発明の第１の選択手段の処理例である。そして、データ選択部１０４は、選択したコンテンツのサムネイルを生成し、携帯端末参照用のデータとして通信部１０７を介して携帯端末に送信する（ステップＳ２０６）。ステップＳ２０６は、本発明の送信手段の処理例である。
【００３３】
以上の処理により、携帯端末では、ディスプレイ表示部１０１と携帯端末３２０との距離を近づけたり、遠ざけたりすることで、表示させるコンテンツのサムネイルを切り替えることができる。
【００３４】
図４は、携帯端末の移動に伴うサムネイルの表示切り替えを具体的に説明するための図である。
【００３５】
図４（ａ）及び図４（ｂ）に示すように、コンテンツ４０１〜４０６は重畳される形で構成されているものとする。図４（ａ）に示すように、携帯端末をディスプレイ表示部１０１に近づけると、コンテンツが静止画データであれば手前のコンテンツ４０１から奥のコンテンツ４０６へと移動して携帯端末上でサムネイル表示される。また、コンテンツが動画データであれば時間軸的に新しいコンテンツから古いコンテンツへと移動して携帯端末上でサムネイル表示される。
【００３６】
逆に、図４（ｂ）に示すように、携帯端末３２０をディスプレイ表示部１０１から遠ざけると、コンテンツが静止画データであれば奥のコンテンツ４０６から手前のコンテンツ４０１へと移動して携帯端末上でサムネイル表示される。また、コンテンツが動画データであれば時間軸的に古いコンテンツから新しいコンテンツへと移動して携帯端末上でサムネイル表示される。
【００３７】
上述した説明では、手前に新しいコンテンツが配置され、奥側に古いコンテンツが配置されるようにしているが、当然ながら逆向きに配置していても何ら問題ない。
【００３８】
ディスプレイ表示部１０１は、携帯端末３２０から表示されているサムネイルの送信命令コマンドを通信部１０７経由で受信し、送信命令コマンドに応じてコンテンツを選択する（ステップＳ２０８）。
【００３９】
図６は、送信命令コマンドのデータ構造を示す図である。図６に示すように、送信命令コマンドは、送信元端末ＩＤ６０１、送信先端末ＩＤ６０２、コンテンツグループ情報６０３、画像、フレーム情報６０４及び操作コマンド６０５で構成される。送信元端末ＩＤ６０１には、携帯端末のＩＤ情報が設定され、送信先端末ＩＤ６０２には、ディスプレイ表示部１０１のＩＤ情報が設定され、ともに使用端末を一意に識別するための情報となる。また、現在選択されているコンテンツグループがデータ選択部１０４によって複数に分割されている場合、コンテンツグループ情報６０３に分割されたコンテンツが属するコンテンツグループを示す情報が設定される。更に、画像、フレーム情報６０４には、どのコンテンツを選択するかが設定され、携帯端末上でサムネイル表示されているコンテンツを示す情報が設定される。操作コマンド６０５には、選択したコンテンツの詳細データをディスプレイ表示部１０１から携帯端末３２０へ送信させるためのコマンドが設定される。
【００４０】
通信部１０７は、上述した送信命令コマンドに応じてステップＳ２０８で選択されたコンテンツを携帯端末へ送信する（ステップＳ２０９）。
【００４１】
以上のように、本実施形態においては、ディスプレイ表示部１０１と携帯端末との距離に応じて、所望のコンテンツを選択することが可能となる。特に、動画の場合には、時間軸方向に連続した画像の再生となるため、古い画像から新しい画像への順再生、新しい画像から古い画像への逆再生も可能となり、所望のコンテンツを選択することが容易となる。
【００４２】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００４３】
また、本発明は、例えば、システム、装置、方法、プログラムもしくは記録媒体等としての実施形態も可能であり、具体的には、一つの機器からなる装置に適用してもよい。
【００４４】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して制御することによっても達成される場合を含む。
【符号の説明】
【００４５】
１００  データ選択装置、１０１、３００  ディスプレイ表示部、１０２  記憶部、１０３  コンテンツ選択部、１０４  データ選択部、１０５  携帯端末位置情報検出部、１０６  携帯端末距離情報検出部、１０７  通信部、３０１〜３０９、３１１〜３１８  コンテンツ、３２０  携帯端末
【図１】
2010277551.tif 000003
【図２】
2010277551.tif 000004
【図３−１】
2010277551.tif 000005
【図３−２】
2010277551.tif 000006
【図４】
2010277551.tif 000007
【図５】
2010277551.tif 000008
【図６】
2010277551.tif 000009